(57)【要約】【課題】竪樋から雨水等が漏れることがなく、竪樋内部で凍結が生じた場合にも、竪樋の変形、破損が抑制される寒冷地用竪樋を提供すること。【解決手段】長尺な樋部材２と、この樋部材２に装着される長尺なカバー材３とを有する竪樋１であって、樋部材２は、長尺方向に開口部４を有するとともに、外周面に被係止突部６が設けられ、カバー材３には、短尺方向両端部に屈曲部３aが設けられ、この屈曲部３aの先端には、前記樋部材２の被係止突部６を覆うように係止する係止部７が設けられており、前記係止部７が被係止突部６に係止されることで、樋部材２とカバー材３が装着一体化されるとともに、樋部材２の開口部４がカバー材３によって外側から閉鎖され、竪樋１の内部において凍結が生じた場合に、カバー材３の屈曲部３aが外方に拡開して、前記係止が解除可能とする。【選択図】図１
2011153428.tif 000002
【特許請求の範囲】
【請求項１】
長尺な樋部材と、この樋部材に装着される長尺なカバー材とを有する竪樋であって、樋部材は、長尺方向に開口部を有するとともに、外周面に被係止突部が設けられ、カバー材には、短尺方向両端部に屈曲部が設けられ、この屈曲部の先端には、前記樋部材の被係止突部を覆うように係止する係止部が設けられており、
前記係止部が被係止突部に係止されることで、樋部材とカバー材が装着一体化されるとともに、樋部材の開口部がカバー材によって外側から閉鎖され、竪樋の内部において凍結が生じた場合に、カバー材の屈曲部が外方に拡開して、前記係止が解除可能であることを特徴とする寒冷地用竪樋。
【請求項２】
竪樋の内部に、弾性体が配設されていることを特徴とする請求項１に記載の寒冷地用竪樋。
【発明の詳細な説明】
【技術分野】
【０００１】
本発明は、寒冷地の建物外壁面に沿って取り付けられる寒冷地用竪樋に関する。
【背景技術】
【０００２】
雨水や屋根上に積もった雪が融けて生じた融雪水は、軒樋に集められ、竪樋等を通して排水される。しかしながら、寒冷地では、竪樋内部の水が凍結して氷に変化する際の体積膨張によって、竪樋が変形、破損してしまうという問題が生じていた。
【０００３】
このような問題を解消するため、竪樋の外面に長手方向にスリットを設けた寒冷地用竪樋が提案されている（特許文献１）。この竪樋は、膨張した氷を竪樋の外面のスリットから逃がすことで、竪樋の破損を抑制している。しかしながら、この竪樋では、流下する雨水やゴミ等がスリットから溢れ出す。また、スリットが設けられていることによって、竪樋の外観意匠も好ましいものではなかった。
【０００４】
一方、竪樋内壁面に設けた凹溝に棒状の弾性体を収納した竪樋も提案されている（特許文献２）。この竪樋では、竪樋内部で水や雪が凍った場合にも、体積膨張を弾性体によって吸収させている。しかしながら、この竪樋は、弾性体によって水分の体積膨張を吸収しきれない場合があり、竪樋の変形、破損が十分に抑制されているとは言い難かった。
【先行技術文献】
【特許文献】
【０００５】
【特許文献１】特開平8−68176号公報
【特許文献２】特開平10−292578号公報
【発明の概要】
【発明が解決しようとする課題】
【０００６】
本発明は、以上のような事情に鑑みてなされたものであり、竪樋から雨水等が漏れることがなく、竪樋内部で凍結が生じた場合にも、竪樋の変形、破損が抑制される寒冷地用竪樋を提供することを課題としている。
【課題を解決するための手段】
【０００７】
上記の課題を解決するため、第１の発明は、長尺な樋部材と、この樋部材に装着される長尺なカバー材とを有する竪樋であって、樋部材は、長尺方向に開口部を有するとともに、外周面に被係止突部が設けられ、カバー材には、短尺方向両端部に、屈曲部が設けられ、この屈曲部の先端には、前記樋部材の被係止突部を覆うように係止する係止部が設けられており、前記係止部が被係止突部に係止されることで、樋部材とカバー材が装着一体化されるとともに、樋部材の開口部がカバー材によって外側から閉鎖され、竪樋の内部において凍結が生じた場合に、カバー材の屈曲部が外方に拡開して、前記係止が解除可能であることを特徴としている。
【０００８】
第２の発明は、上記第１の発明において、竪樋の内部に、弾性体が配設されていることを特徴としている。
【発明の効果】
【０００９】
第１の発明では、係止部が被係止突部に係止されることで、樋部材とカバー材が装着一体化されるとともに、樋部材の開口部がカバー材によって外側から閉鎖されている。このため、竪樋から雨水等が漏れることがない。さらに、第１の発明では、竪樋の内部において凍結が生じた場合に、カバー材の屈曲部が外方に拡開して、前記係止が解除可能である。このため、竪樋内部で凍結が生じた場合にも、竪樋の変形、破損を抑制することができる。
【００１０】
第２の発明では、竪樋の内部に、弾性体が配設されている。このため、凍結による体積膨張を弾性体に吸収させることができ、樋部材とカバー材との係止を維持したままでも、竪樋の変形、破損を抑制することができる。また、凍結による体積膨張を弾性体が吸収しきれない場合には、第１の発明と同様に、樋部材とカバー材との係止が解除されるため、確実に竪樋の変形、破損を抑制することができる。
【図面の簡単な説明】
【００１１】
【図１】（Ａ）は、本発明の寒冷地用竪樋の第１の実施形態を例示した分解斜視図である。（Ｂ）は、（Ａ）の寒冷地用竪樋の組み立て状態を例示した斜視図である。
【図２】図１（Ｂ）の平面図である。
【図３】（Ａ）（Ｂ）は、本発明の寒冷地用竪樋の第１実施形態において、竪樋の内部において雨水等の凍結が生じた場合を例示した斜視図である。
【図４】本発明の寒冷地用竪樋の第２の実施形態を例示した平面図である。
【図５】（Ａ）は、本発明の寒冷地用竪樋の第３の実施形態を例示した分解断面図である。（Ｂ）は、（Ａ）の組み立て断面図である。
【図６】本発明の寒冷地用竪樋の第４の実施形態を例示した断面図である。
【発明を実施するための形態】
【００１２】
本発明の第１の実施形態について説明する。
【００１３】
図１（Ａ）（Ｂ）は、寒冷地用竪樋の分解斜視図および寒冷地用竪樋の組み立て状態を例示した斜視図である。また、図２は、図１（Ｂ）の平面図である。
【００１４】
竪樋１は、長尺な樋部材２と、この樋部材２に装着される長尺なカバー材３とによって分割形成されている。
【００１５】
樋部材２は、断面が略コ字状に形成されている。すなわち、両側の側片２aと、側片２a同士の間に挟持される挟持片２bとが一体に形成されている。挟持片２bと対向する側には、側片２a同士の間に開口部４が長尺方向に亘って設けられている。そして、両側片２aの先端には、凹部５の外側端としての被係止突部６が長尺方向全長に亘って形成されている。
【００１６】
カバー材３には、短尺方向両端部に屈曲部３aが形成されている。屈曲部３aは、外方に拡開した形状とすることができる。さらに、この屈曲部３aの先端には、カバー材３の内側へ突出する係止部７が形成されている。
【００１７】
そして、カバー材３の係止部７を樋部材２の凹部５内に嵌め込むことで、被係止突部６は、係止部７に覆われるように係止される。これによって、カバー材３が樋部材２に装着一体化されて竪樋１が組み立てられる。つまり、カバー材３の屈曲部３aを外側に拡げるようにして保持して、カバー材３を樋部材２の開口部４側から嵌合する。そして、カバー材３の屈曲部３aを元の形状に復帰させることで、係止部７を、被係止突部６を覆うように係止することができる。竪樋１は、係止時に係止部７の先端と樋部材２の凹部５の底面５aとの間に空間８が形成されるように設計することができる。
【００１８】
このようにしてカバー材３が樋部材２に装着一体化されることで、樋部材２の開口部４は、全体に亘って外側から覆われ、閉鎖される。したがって、雨水等が竪樋１内を流下する際に、樋部材２の開口部４から漏水する恐れがない。また、カバー材３の係止部７は、樋部材２の凹部５内に嵌まり込んでいるため、雨水等が流下する際にもカバー材３が外れることはない。カバー材３の装着後は、カバー材３の屈曲部３aを図２に示す矢印方向に拡げて係止を解除することで、カバー材３を樋部材２から取り外すことができる。
【００１９】
また、竪樋１は、樋部材２の挟持片２bの外面を建物等の壁面Ｙ側に対峙させ、竪樋取付金具、釘等の適宜な取り付け具を使用して施工することができる。
【００２０】
図３（Ａ）（Ｂ）は、本発明の寒冷地用竪樋の第１実施形態において、竪樋の内部で雨水等の凍結が生じた場合を例示した斜視図である。図３（Ａ）（Ｂ）において、図１、図２と共通する部分には同一の符号を付し、以下では説明を省略する。
【００２１】
図３（Ａ）では、カバー材３の両側において、係止部７による被係止突部６への係止が解除されている。
【００２２】
竪樋１は、凍結によって氷Ｘが生じると、竪樋１内部における体積膨張によって内側から負荷を受ける。そして、図２において矢印で例示したように、カバー材３の屈曲部３aが外方に拡開する。したがって、凍結箇所の近傍で、カバー材３の両側の係止部７が樋部材２の両側の凹部５から外れ、係止部７による被係止突部６への係止が解除される。これによって、竪樋１は、内側からの負荷が解放される。したがって、竪樋１内部で凍結が生じた場合にも、竪樋１の変形、破損を抑制することができる。
【００２３】
同様に、図３（Ｂ）では、カバー材３の片側において、係止部７による被係止突部６への係止が解除されている（図中手前の係止部７）。この場合にも、竪樋１は、凍結による竪樋１内側からの負荷が解放されるため、竪樋１内部で凍結が生じた場合にも、竪樋１の変形、破損を抑制することができる。
【００２４】
さらに、上記のとおり、竪樋１は、係止時に係止部７の先端と凹部５の底面５aの間に空間８を形成することができる（図２）。これによって、竪樋１内部において凍結が生じた場合に、係止部７がこの空間８内で可動することができるため、より確実に係止部７による被係止突部６への係止を解除することができる。
【００２５】
そして、凍結によって係止部７と被係止突部６との係止が解除された場合、凍結部分を除去した後、または、凍結が溶解した後に、再び係止部７を被係止突部６に係止させて、カバー材３を樋部材２に装着することができる。
【００２６】
図４は、本発明の寒冷地用竪樋の第２の実施形態を例示した平面図である。
【００２７】
竪樋１は、縦方向に長尺な樋部材２と、この樋部材２に装着される長尺なカバー材３とによって分割形成されている。
【００２８】
樋部材２は、水平方向断面が略コ字状に形成されている。具体的には、両側片２aと、両側片２aの間に挟持される挟持片２bとが一体に形成されている。挟持片２bと対向する側には、両側片２aの間に長尺方向に亘って解放された開口部４が設けられている。両側片２aには、先端外周面に被係止突部６が形成されている。
【００２９】
カバー材３には、短尺方向両端部に屈曲部３aが形成されている。この屈曲部３aの先端には、凹状に窪んだ係止部７が形成されている。
【００３０】
そして、係止部７を被係止突部６に嵌め込むことで、被係止突部６を覆うように係止することができる。この場合にも、係止時に係止部７と被係止突部６の間に空間８を形成することができる。
【００３１】
竪樋１内部における体積膨張によって内側から負荷を受けると、例えば矢印で示すように、カバー材３の屈曲部３aが外方に拡開する。したがって、凍結箇所の近傍でカバー材３の係止部７の一方または両方が、樋部材２の被係止突部６から外れる。これによって、係止部７による被係止突部６への係止を解除することができる。係止が解除されると、竪樋１は、凍結による竪樋１内側からの負荷が解放されるため、竪樋１内部で凍結が生じた場合にも、竪樋１の変形、破損を抑制することができる。
【００３２】
また、竪樋１は、樋部材２の挟持片２bの外面を建物等の壁面Ｙ側に対峙させ、適宜な取り付け具を使用して施工することができる。さらに、カバー材３の装着後は、カバー材３の両側片３bを広げることで係止を解除することができ、カバー材３を樋部材２から取り外すことができる。
【００３３】
図５（Ａ）は、本発明の寒冷地用竪樋の第３の実施形態を例示した分解断面図である。図４（Ｂ）は、（Ａ）の組み立て断面図である。
【００３４】
竪樋１は、縦方向に長尺な樋部材２と、この樋部材２に装着されるカバー材３とによって分割形成されている。
【００３５】
樋部材２は、水平方向断面が略コ字状に形成されている。具体的には、両側片２aと、両側片２aの間に挟持される挟持片２bとが一体に形成されている。挟持片２bと対向する側には、両側片２aの間に長尺方向に亘って解放された開口部４が設けられている。両側片２aの挟持片２b側の端部には、挟持片２bよりも外側に突出する被係止突部６が設けられている。
【００３６】
カバー材３は、水平方向断面が略コ字状であり、両側の側片３bと、両側片３b間に挟持される挟持片３cとを一体に形成することができる。カバー材３の両側片３bは、外側へ膨らんだ形状とすることができる。また、カバー材３の両側片３bの先端には屈曲部３aが形成されている。屈曲部３aは、カバー材３の挟持片３cと略並行に屈曲しており、屈曲部３aの先端には、カバー材３の内側へ突出する係止部７が形成されている。
【００３７】
そして、カバー材３は、両側片３b及び挟持片３cが樋部材２よりも一回り大きい寸法で形成されている。したがって、カバー材３の内部に樋部材２を収納して、カバー材３と樋部材２とを装着一体化することができる。
【００３８】
例えば、カバー材３の両側片３bを外側に拡げるようにして保持し、カバー材３を樋部材２の開口部４側から嵌合する。そして、樋部材２の開口部４側の端部２cが、カバー材３の狭持片３cの内壁面に当接すると、外側に拡がったカバー材３の両側片３bが元の形状に復帰する。このとき、カバー材３の屈曲部３aが、樋部材２の被係止突部６の後方へ回り込み、屈曲部３aの先端の係止部７が、樋部材２の被係止突部６を覆うように内側から当接して係止する。これによって、樋部材２の開口部４は、全体に亘って外側から覆われて閉鎖され、カバー材３が樋部材２に装着一体化される。このとき、樋部材２の開口部４側の端部２cが、カバー材３の狭持片３cの内壁面に当接している。また、被係止突部６は、カバー材３の屈曲部３aの内壁と当接している。さらに、樋部材２の側片２aとカバー材３の側片３bの間には空間８が形成されている。
【００３９】
このように、カバー材３が樋部材２に装着一体化されるため、雨水等が竪樋１内を流下する際に、樋部材２の開口部４から漏水する恐れがない。
【００４０】
そして、竪樋１は、竪樋１の内部空間において雨水等の凍結が生じた場合には、例えば図５（Ｂ）の矢印に示すように、カバー材３の屈曲部３aが外方に拡開する。これによって、凍結箇所の近傍で、カバー材３の係止部７の一方または両方が、樋部材２の被係止突部６から外れる。これによって、係止部７による被係止突部６への係止を解除することができる。係止が解除されると、竪樋１は、内側からの負荷が解放されるため、竪樋１内部で凍結が生じた場合にも、竪樋１の変形、破損を抑制することができる。
【００４１】
また、竪樋１は、樋部材２の挟持片２bの外面を建物等の壁面Ｙ側に対峙させ、適宜な取り付け具を使用して施工することができる。さらに、カバー材３の装着後は、カバー材３の両側片３bを拡げることで係止を解除することができ、カバー材３を樋部材２から取り外すことができる。
【００４２】
図６、本発明の寒冷地用竪樋の第４の実施形態を例示した断面図である。図６において、第１実施形態と共通する部分には同一の符号を付し、以下では説明を省略する。
【００４３】
竪樋１は、樋部材２の狭持片２b内壁に弾性体９が配設されている。弾性体９の形状、配設位置は適宜設計することができる。また、弾性体９の材料は、従来公知のものを含め種々のものを適宜使用することができる。例えば、軟質合成樹脂等の発泡体、ゴム、エラストマー等が例示され、圧縮による体積収縮率が１０％以上であるものが好ましい。
【００４４】
竪樋１は、弾性体９が配設されていることによって、竪樋１内を流下する雨水等が凍結して体積膨張した場合にも、その膨張分を弾性体９に吸収させることができる。このため、竪樋１の変形、破損が抑制される。また、カバー材３の係止部７と樋部材２の被係止突部６との係止も外れ難くなる。
【００４５】
さらに、体積膨張分を弾性体９が吸収しきれない場合には、図２に例示したように、カバー材３の屈曲部３aが外方に拡開して、カバー材３の係止部７による樋部材２の被係止突部６への係止が解除される。したがって、内側からの負荷が解放され、竪樋１の変形、破損が確実に抑制される。
【００４６】
なお、本発明は、以上のような実施形態によって限定されるものではない。カバー材の係止部および樋部材の被係止突部の形状は、両者が係止可能であり、凍結時に係止が解除されるように適宜設計することができる。例えば、長尺方向全長に亘って連続的に形成しても良いし、断続的に形成してもよい。また、樋部材およびカバー材の材料は、例えば、塩化ビニル樹脂などのプラスチックや金属等の中から適宜選択することができる。さらに、例えば、樋部材およびカバー材によって、丸樋を形成することもできる。  
【符号の説明】
【００４７】
１  竪樋
２  樋部材
３  カバー材
３a  屈曲部
４  開口部
６  被係止突部
７  係止部
９  弾性体
【図１】
2011153428.tif 000003
【図２】
2011153428.tif 000004
【図３】
2011153428.tif 000005
【図４】
2011153428.tif 000006
【図５】
2011153428.tif 000007
【図６】
2011153428.tif 000008